(57)【要約】【課題】紙等のシート材から形成した部材を確実に結合でき、スムーズにスライドさせることができるスライド構造の陳列用表示体を提供する。【解決手段】板紙等のシート材を折り曲げて棚置部３、立上部４、頂部５及び表示部６が順次連設された基本部材１及び一対のスライド部材２を形成し、基本部材１とスライド部材２とをスライド自在に結合した陳列用表示体において、基本部材１に、スライド方向に延びるスリット９を設け、スライド部材２に、スライド方向に交差する差込片１１と、その基端から反対側へ延びる係止片１２とを切込により形成し、基本部材１とスライド部材２とを重ね、差込片１１及び係止片１２をスリット９に相反する方向へ向けて差し込む。【選択図】図１
2006006708.tif 000002
【特許請求の範囲】
【請求項１】
シート材から形成した複数の部材をスライド自在に結合する構造において、結合される一方の部材に、スライド方向に延びるスリットを設け、他方の部材に、スライド方向に交差する差込片と、その基端から反対側へ延びる係止片とを切込により形成し、両部材を重ね、前記差込片及び係止片をスリットに相反する方向へ向けて差し込んだことを特徴とする複合体のスライド構造。
【請求項２】
シート材を折り曲げて棚置部、立上部及び表示部が順次連設された基本部材及びスライド部材を形成し、基本部材とスライド部材とをスライド自在に結合した陳列用表示体において、基本部材とスライド部材とを請求項１に記載のスライド構造により結合したことを特徴とする陳列用表示体。
【発明の詳細な説明】
【技術分野】
【０００１】
この発明は、シート材から成る複数の部材をスライド自在に結合する構造及びその構造を使用した陳列用表示体に関する。
【背景技術】
【０００２】
店頭で商品を棚に載せて陳列する際、棚の前部に商品の価格や広告を表示する表示体を設置することがある。この表示体として、下記特許文献には、図７に示すように、透明プラスチックシートから成る基本部材５０と、一対のスライド部材５１とをスライド自在に結合し、陳列する商品に応じて表示の幅を変えられるようにしたものが記載されている。
【０００３】
この表示体の基本部材５０は、棚置部５２、立上部５３、頂部５４、表示部５５及び折返板５６を順次連設し、表示部５５と折返板５６の稜部に多数の係止穴５７を設けた形状とされ、スライド部材５１は、表示部５８の内側上縁に折曲片５９を連設し、内側下部に可撓片６０を延設してその先端に係止凸部６１を設けた形状とされている。
【０００４】
そして、スライド部材５１の上部を、折曲片５９が頂部５４の裏面に沿うように立上部５３と表示部５５の間に挿入し、スライド部材５１の下部を、可撓片６０の弾性変形に伴い表示部５５と折返板５６の間に挿入して、係止穴５７に係止凸部６１を係合させると、スライド部材５１が基本部材５０に対して所定の位置に保持される。
【０００５】
【特許文献１】特開２００３−２４５１７４号公報
【発明の開示】
【発明が解決しようとする課題】
【０００６】
しかしながら、上記のようなスライド構造を応用して、紙を材料とする陳列用表示体を構成しようとすると、紙はプラスチックシートのような強度や保形性、弾性を備えていないことから、結合状態が安定せず、部材がスムーズにスライドしないという問題がある。
【０００７】
そこで、この発明は、紙等のシート材から形成した部材を確実に結合でき、スムーズにスライドさせることができるスライド構造の陳列用表示体を提供することを課題とする。
【課題を解決するための手段】
【０００８】
上記課題を解決するため、この発明は、シート材から形成した複数の部材をスライド自在に結合する構造において、結合される一方の部材に、スライド方向に延びるスリットを設け、他方の部材に、スライド方向に交差する差込片と、その基端から反対側へ延びる係止片とを切込により形成し、両部材を重ね、前記差込片及び係止片をスリットに相反する方向へ向けて差し込んだのである。
【０００９】
また、シート材を折り曲げて棚置部、立上部及び表示部が順次連設された基本部材及びスライド部材から成る陳列用表示体において、基本部材とスライド部材とを上記スライド構造により結合したのである。
【発明の効果】
【００１０】
この発明に係るスライド構造の陳列用表示体では、スリットに相反する方向へ向けて差し込んだ差込片と係止片により、部材のスライド方向が規制されるので、部材がスリットに沿ってスムーズにスライドし、差込片のスリットからの抜け出しが係止片で阻止されるので、部材の結合が不意に外れることもない。
【発明を実施するための最良の形態】
【００１１】
以下、この発明の実施形態を添付図面に基づいて説明する。
【００１２】
図１は、この発明に係るスライド構造を適用した陳列用表示体を示す。この表示体は、板紙を材料とする基本部材１と、一対のスライド部材２とをスライド自在に結合し、陳列する商品に応じて表示の幅を変えられるようにしたものである。
【００１３】
図２に示すように、基本部材１及びスライド部材２のブランクでは、棚置部３、立上部４、頂部５、表示部６及び折返部７が後方から前方へ罫線を介して順次連設され、表示部６の表面には、商品の広告や価格等の表示が印刷されている。基本部材１の両側及びスライド部材２の外側部分の裏面には、それぞれ棚置部３から表示部６にかけて、屈曲状態を保持するための金属板８が貼り付けられている。
【００１４】
そして、基本部材１の棚置部３及び立上部４には、横方向へ延びるスリット９が左右にそれぞれ設けられ、スリット９の中央部には台形状の差込穴１０が形成されている。
【００１５】
また、スライド部材２の棚置部３及び立上部４には、それぞれ対向する差込片１１と、その基端中央部から反対側へ延びる係止片１２とがコ字状の切込により形成されている。
【００１６】
このブランクから表示体を組み立てる際には、図３に示すように、基本部材１及びスライド部材２の折返部７を表示部６の裏側に貼り付けて、表示部６の端縁部を補強し、基本部材１の下側にスライド部材２を重ね、差込片１１及び係止片１２をスリット９に相反する方向へ向けて差し込む。
【００１７】
このとき、基本部材１に対してスライド部材２を、係止片１２が差込穴１０に一致するように位置づけておくと、差込穴１０を介して係止片１２をスリット９に容易に差し込むことができる。
【００１８】
また、この扁平状態において、基本部材１に対して一対のスライド部材２を内側へスライドさせておくと、コンパクトな状態で積み重ねることができ、陳列する商品と共に小売店へ配送する際、嵩張ることがない。
【００１９】
一方、小売店の店頭においては、商品の陳列作業に際し、図１に示すように、基本部材１及び一対のスライド部材２を一体的に、棚置部３から立上部４を立ち上がらせ、頂部５を前方へ折り曲げ、表示部６を斜め下方へ折り曲げるように変形する。この屈曲状態は、金属板８の塑性変形により保持される。
【００２０】
そして、陳列する商品に応じて、基本部材１に対し一対のスライド部材２を適宜内側又は外側へスライドさせ、表示部６が前方へ向くように表示体を棚の前部に設置し、商品を棚置部３に載せて陳列すると、商品の陳列スペースを最大限に活用して、表示部６により効果的な表示を行うことができる。
【００２１】
ここで、基本部材１に対してスライド部材２をスライドさせる際、図４及び図５に示すように、スリット９に差込片１１と係止片１２とが相反する方向へ向けて差し込まれていることから、スライド部材２のスライド方向が規制されるので、スライド部材２はスリット９に沿ってスムーズにスライドする。
【００２２】
また、差込片１１のスリット９からの抜け出しが係止片１２で阻止されるので、基本部材１とスライド部材２の結合が不意に外れることもない。
【００２３】
そのほか、基本部材１とスライド部材２との結合に際し、プラスチックビス等の連結具を使用していないため、低コストで表示体を製造することができる。
【００２４】
なお、差込片１１及び係止片１２は、図６に示すように、左右にずらして基端から互いに反対側へ延びるように形成してもよい。
【００２５】
また、この実施形態では、陳列用表示体について例示したが、上記のようなスライド構造は、箱の内部に設置した可動仕切等にも適用することができる。
【図面の簡単な説明】
【００２６】
【図１】この発明に係る陳列用表示体の使用状態を示す斜視図
【図２】同上の各部材のブランクを示す図
【図３】同上の使用前の状態を示す平面図
【図４】同上のスライド構造の要部を示す拡大平面図
【図５】図４のＶ−Ｖ線に沿った断面図
【図６】同上の他のスライド構造の要部を示す拡大平面図
【図７】従来の陳列用表示体の分解斜視図
【符号の説明】
【００２７】
１  基本部材
２  スライド部材
３  棚置部
４  立上部
５  頂部
６  表示部
７  折返部
８  金属板
９  スリット
１０  差込穴
１１  差込片
１２  係止片
【図１】
2006006708.tif 000003
【図２】
2006006708.tif 000004
【図３】
2006006708.tif 000005
【図４】
2006006708.tif 000006
【図５】
2006006708.tif 000007
【図６】
2006006708.tif 000008
【図７】
2006006708.tif 000009